(57)【要約】【課題】固体脂に対する洗浄力に優れるとともに、布への濡れ広がり性が良好な衣料用液体洗浄剤組成物を提供する。【解決手段】アニオン界面活性剤（Ａ）、半極性界面活性剤（Ｂ）、及びＲ１１−Ｏ−［（ＥＯ）ｍ／（ＰＯ）ｎ］−Ｈ（Ｒ１１は炭素数２〜６のアルキル基であり、ｍはＥＯの平均繰り返し数、ｎはＰＯの平均繰り返し数を表し、ｍは０〜５、ｎは０〜５の数であり、１≦ｍ＋ｎ≦５であり、ＥＯはオキシエチレン基、ＰＯはオキシプロピレン基を表し、ＥＯとＰＯとは混在していてもよい。）で表される化合物（Ｃ）を含有し、（Ａ）成分／（Ｂ）成分の質量比が０．５〜２である、衣料用液体洗浄剤組成物。【選択図】なし【特許請求の範囲】
【請求項１】
（Ａ）成分：アニオン界面活性剤、
（Ｂ）成分：半極性界面活性剤、および
（Ｃ）成分：下式（１）で表される化合物を含有し、
（Ａ）成分／（Ｂ）成分の質量比が０．５〜２である、衣料用液体洗浄剤組成物。
Ｒ１１−Ｏ−［（ＥＯ）ｍ／（ＰＯ）ｎ］−Ｈ  ・・・（１）
［式中、Ｒ１１は炭素数２〜６のアルキル基である。ｍはＥＯの平均繰り返し数、ｎはＰＯの平均繰り返し数を表し、ｍは０〜５、ｎは０〜５の数であり、１≦ｍ＋ｎ≦５である。ＥＯはオキシエチレン基、ＰＯはオキシプロピレン基を表し、ＥＯとＰＯとは混在していてもよい。］
【請求項２】
（Ｂ）成分／（Ｃ）成分の質量比が０．５以上である、請求項１記載の衣料用液体洗浄剤組成物。
【発明の詳細な説明】
【技術分野】
【０００１】
本発明は衣料用液体洗浄剤組成物に関する。
【背景技術】
【０００２】
衣類の汚れの中でも、タオルの悪臭の原因となる残存皮脂や襟袖の皮脂汚れは、消費者が落としたい汚れの上位に挙げられる。
例えば特許文献１の実施例には、皮脂汚れの洗浄において、高級アルコールにエチレンオキシド（ＥＯともいう。）を２〜５モル付加した短ＥＯ鎖長のポリオキシアルキレン型ノニオン界面活性剤が有効であることが示されている。
【先行技術文献】
【特許文献】
【０００３】
【特許文献１】特開２００２−１６７６００号公報
【発明の概要】
【発明が解決しようとする課題】
【０００４】
しかしながら、特許文献１に記載の方法は必ずしも充分とは言えない。例えば、ヒト由来の皮脂のうち液体脂に比べて固体脂（常温で固体である脂）は従来の方法でも落ち難く、固体脂に対する洗浄性能の向上が望まれる。
また洗浄性及び使用性の点から、洗剤を襟袖等の汚れ部分に塗布したときに、布への濡れ広がり性が良いことが好ましい。
本発明は上記事情を鑑みてなされたものであり、固体脂に対する洗浄力に優れるとともに、布への濡れ広がり性が良好な衣料用液体洗浄剤組成物を提供することを目的とする。
【課題を解決するための手段】
【０００５】
本発明は以下の態様を有する。
［１］  （Ａ）成分：アニオン界面活性剤、（Ｂ）成分：半極性界面活性剤、及び（Ｃ）成分：下式（１）で表される化合物を含有し、（Ａ）成分／（Ｂ）成分の質量比が０．５〜２である、衣料用液体洗浄剤組成物。
Ｒ１１−Ｏ−［（ＥＯ）ｍ／（ＰＯ）ｎ］−Ｈ  ・・・（１）
［式中、Ｒ１１は炭素数２〜６のアルキル基である。ｍはＥＯの平均繰り返し数、ｎはＰＯの平均繰り返し数を表し、ｍは０〜５、ｎは０〜５の数であり、１≦ｍ＋ｎ≦５である。ＥＯはオキシエチレン基、ＰＯはオキシプロピレン基を表し、ＥＯとＰＯとは混在していてもよい。］
［２］  （Ｂ）成分／（Ｃ）成分の質量比が０．５以上である、［１］記載の衣料用液体洗浄剤組成物。
［３］  衣料用液体洗浄剤組成物に対して、界面活性剤の総含有量が５〜２０質量％であることが好ましい。
【発明の効果】
【０００６】
本発明の衣料用液体洗浄剤組成物は、布への濡れ広がり性が良好であり、固体脂に対する洗浄力に優れる。
【発明を実施するための形態】
【０００７】
本発明の衣料用液体洗浄剤組成物（以下、単に液体洗浄剤ともいう。）は、（Ａ）成分：アニオン界面活性剤、（Ｂ）成分：半極性界面活性剤、及び（Ｃ）成分：式（１）で表される化合物を含有する。
≪（Ａ）成分：アニオン界面活性剤≫
アニオン界面活性剤としては、例えば直鎖アルキルベンゼンスルホン酸又はその塩；α−オレフィンスルホン酸塩；直鎖状又は分岐鎖状のアルキル硫酸エステル塩；アルキルエーテル硫酸エステル塩；アルケニルエーテル硫酸エステル塩；アルキル基を有するアルカンスルホン酸塩；α−スルホ脂肪酸エステル塩等が挙げられる。
（Ａ）成分の塩形態としては、ナトリウム、カリウム等のアルカリ金属塩；マグネシウム等のアルカリ土類金属塩；モノエタノールアミン塩、ジエタノールアミン塩などのアルカノールアミン塩等が挙げられる。
（Ａ）成分は１種でもよく２種以上を併用してもよい。
【０００８】
（Ａ）成分が、直鎖アルキルベンゼンスルホン酸又はその塩、及びアルキルエーテル硫酸エステル塩からなる群から選ばれる１種以上を含むことが好ましい。
（Ａ）成分が、少なくとも、直鎖アルキルベンゼンスルホン酸又はその塩の１種以上を含むことがより好ましい。
（Ａ）成分の合計に対して、直鎖アルキルベンゼンスルホン酸又はその塩の合計が２０〜１００質量％であることが好ましく、５０〜１００質量％であることがより好ましい。
【０００９】
直鎖アルキルベンゼンスルホン酸塩としては、直鎖アルキル基の炭素数が８〜１６のものが好ましく、炭素数１０〜１４のものが特に好ましい。
アルキルエーテル硫酸エステル塩としては、炭素数１０〜２０の直鎖状又は分岐鎖状のアルキル基を有し、平均１〜１０モルのエチレンオキシドを付加したポリオキシエチレンアルキルエーテル硫酸エステル塩が好ましい。
【００１０】
液体洗浄剤に対して、（Ａ）成分の含有量は１０質量％以下が好ましく、１〜７質量％がより好ましく、３〜５質量％が特に好ましい。
（Ａ）成分の含有量が上記範囲の下限値以上であると固体脂洗浄力に優れ、上限値以下であると液体洗浄剤の外観に優れる。
【００１１】
≪（Ｂ）成分：半極性界面活性剤≫
半極性界面活性剤としては、アミンオキシド型界面活性剤が挙げられる。中でも下式（２）で表される化合物が好適である。半極性界面活性剤は１種でもよく２種以上を併用してもよい。
【００１２】
【化１】
2018002822.tif 000002
【００１３】
［式中、Ｒ１は、炭素数７〜２２の直鎖状もしくは分岐鎖状のアルキル基又は炭素数７〜２２の直鎖状もしくは分岐鎖状のアルケニル基であり；Ｘは、−ＣＯＮＨ−、−ＮＨＣＯ−、−ＣＯＯ−又は−ＯＣＯ−であり；Ｒ２は、炭素数１〜５のアルキレン基であり；Ｒ３及びＲ４は、それぞれ独立して炭素数１〜３のアルキル基又は炭素数１〜３のヒドロキシアルキル基であり；ｐは、０又は１である。］
【００１４】
式（２）において、Ｒ１は、炭素数７〜２２の直鎖状もしくは分岐鎖状のアルキル基が好ましく、炭素数９〜１４の直鎖状もしくは分岐鎖状のアルキル基がより好ましい。
Ｘは、−ＣＯＮＨ−又は−ＮＨＣＯ−が好ましく、−ＣＯＮＨ−がより好ましい。
Ｒ２は、炭素数１〜３のアルキレン基が好ましく、プロピレン基がより好ましい。
Ｒ３及びＲ４は、それぞれ独立して炭素数１〜３のアルキル基が好ましく、メチル基がより好ましい。特にＲ３及びＲ４がいずれもメチル基であることが好ましい。
式（２）で表されるアミンオキシド型界面活性剤の中でも、下記一般式（３）又は一般式（４）で表される化合物がより好ましい。
（Ｂ）成分が、一般式（３）で表される化合物及び一般式（４）で表される化合物からなる群から選ばれる１種以上を含むことが好ましい。
【００１５】
【化２】
2018002822.tif 000003
【００１６】
［式中、Ｒ５は、炭素数８〜１８の直鎖状もしくは分岐鎖状のアルキル基又は炭素数８〜１８の直鎖状もしくは分岐鎖状のアルケニル基であり；Ｒ６及びＲ７は、それぞれ独立して炭素数１〜３のアルキル基又は炭素数１〜３のヒドロキシアルキル基である。］
【００１７】
式（３）において、Ｒ５は、炭素数８〜１８の直鎖状もしくは分岐鎖状のアルキル基が好ましく、炭素数１０〜１４の直鎖状もしくは分岐鎖状のアルキル基がより好ましい。
Ｒ６及びＲ７は、それぞれ独立して炭素数１〜３のアルキル基が好ましく、メチル基がより好ましい。特にＲ６及びＲ７がいずれもメチル基であることがより好ましい。
【００１８】
【化３】
2018002822.tif 000004
【００１９】
［式中、Ｒ８は、炭素数７〜２２の直鎖状もしくは分岐鎖状のアルキル基又は炭素数７〜２２の直鎖状もしくは分岐鎖状のアルケニル基であり；Ｒ９及びＲ１０は、それぞれ独立して炭素数１〜３のアルキル基又は炭素数１〜３のヒドロキシアルキル基であり、ｑは、１〜５の整数である。］
【００２０】
式（４）において、Ｒ８は、炭素数７〜２２の直鎖状もしくは分岐鎖状のアルキル基が好ましく、炭素数９〜１３の直鎖状もしくは分岐鎖状のアルキル基がより好ましい。
Ｒ９及びＲ１０は、それぞれ独立して炭素数１〜３のアルキル基が好ましく、メチル基がより好ましい。特にＲ９及びＲ１０がいずれもメチル基であることがより好ましい。
ｑは、１〜３の整数が好ましく、３がより好ましい。
【００２１】
（Ｂ）成分は１種でもよく２種以上を併用してもよい。
液体洗浄剤に対して、（Ｂ）成分の含有量は１〜１０質量％が好ましく、２〜７質量％がより好ましく、３〜５質量％が特に好ましい。
（Ｂ）成分の含有量が上記範囲の下限値以上であると固体脂洗浄力に優れ、上限値以下であると液体洗浄剤の安定性に優れる。
【００２２】
≪（Ｃ）成分≫
（Ｃ）成分は下式（１）で表される化合物である。（Ｃ）成分は溶剤として働き、液体洗浄剤の布への濡れ広がり性向上に寄与する。
Ｒ１１−Ｏ−［（ＥＯ）ｍ／（ＰＯ）ｎ］−Ｈ  ・・・（１）
［式中、Ｒ１１は炭素数２〜６のアルキル基である。ｍはＥＯの平均繰り返し数、ｎはＰＯの平均繰り返し数を表し、ｍは０〜５、ｎは０〜５の数であり、１≦ｍ＋ｎ≦５である。ＥＯはオキシエチレン基、ＰＯはオキシプロピレン基を表し、ＥＯとＰＯとは混在していてもよい。］
【００２３】
式（１）において、Ｒ１１は炭素数２〜４のアルキル基が好ましく、炭素数４のアルキル基がより好ましい。
ｍは１〜３が好ましく、ｎは０〜３が好ましく、１≦ｍ＋ｎ≦４が好ましい。ｍが１〜３、ｎが０〜２、かつ１≦ｍ＋ｎ≦３がより好ましい。
【００２４】
（Ｃ）成分の具体例としては、エチレングリコールモノブチルエーテル、ジエチレングリコールモノエチルエーテル、ジエチレングリコールモノプロピルエーテル、ジエチレングリコールモノブチルエーテル、ジエチレングリコールイソブチルエーテル、ジエチレングリコールモノヘキシルエーテル、ジエチレングリコールモノイソプロピルエーテル、トリエチレングリコールモノブチルエーテル、プロピレングリコールモノプロピルエーテル、プロピレングリコールモノブチルエーテル、ジプロピレングリコールモノプロピルエーテル、ジプロピレングリコールモノブチルエーテル、ポリアルキレングリコールモノブチルエーテル（ｍ＝１，ｎ＝１〜３）が挙げられる。
これらのうち、エチレングリコールモノブチルエーテル、ジエチレングリコールモノエチルエーテル、ジエチレングリコールモノブチルエーテル、ジエチレングリコールイソブチルエーテル、トリエチレングリコールモノブチルエーテル、ポリアルキレングリコールモノブチルエーテル（ｍ＝１，ｎ＝１〜２）が好ましく、ジエチレングリコールモノブチルエーテル、ポリアルキレングリコールモノブチルエーテル（ｍ＝１，ｎ＝１〜２）がより好ましい。
【００２５】
（Ｃ）成分は１種でもよく２種以上を併用してもよい。
液体洗浄剤に対して、（Ｃ）成分の含有量は０．１〜７質量％が好ましく、０．３〜５質量％がより好ましく、０．５〜３質量％がさらに好ましい。
（Ｃ）成分の含有量が上記範囲の下限値以上であると液体洗浄剤の布への濡れ広がり性向上効果に優れ、上限値以下であると臭気が良好に抑えられ、液体洗浄剤の香りに優れる。
【００２６】
本発明の液体洗浄剤において、（Ｂ）成分の含有量に対する（Ａ）成分の含有量の質量比を表す（Ａ）成分／（Ｂ）成分は０超〜２であり、０．２〜１．５が好ましく、０．５〜１．２がより好ましい。（Ａ）成分／（Ｂ）成分が上記の範囲であると固体脂洗浄力に優れる。
（Ｃ）成分の含有量に対する（Ｂ）成分の含有量の質量比を表す（Ｂ）成分／（Ｃ）成分は０．５以上が好ましく、０．５〜１０がより好ましく、１〜１０がさらに好ましく、２〜５が特に好ましい。（Ｂ）成分／（Ｃ）成分が上記の範囲の下限値以上であると臭気が良好に抑えられ、液体洗浄剤の香りに優れる。上限値以下であると布への濡れ広がり性に優れる。
【００２７】
≪水≫
本発明の液体洗浄剤は、製造時のハンドリングのし易さ、使用する際の水への溶解性等の観点から、溶媒として水を含有することが好ましい。
液体洗浄剤に対して、水の含有量は、７０質量％以上が好ましく、８０質量％以上がより好ましく、８０〜９５質量％がさらに好ましい。
【００２８】
≪任意成分≫
本発明の液体洗浄剤には、本発明の効果を損なわない範囲で必要に応じて、上述した成分以外の任意成分が配合されてもよい。
任意成分としては、特に限定されず、液体洗浄剤に配合される成分を適宜使用できる。例えば（Ａ）成分又は（Ｂ）成分以外のいずれにも該当しない他の界面活性剤、（Ｃ）成分又は水のいずれにも該当しない他の溶剤、ハイドロトロープ剤、ｐＨ調整剤、漂白成分、金属捕捉成分、ラジカルトラップ剤、香料などが挙げられる。
液体洗浄剤のｐＨ（２５℃）は、５〜８が好ましく、６〜７．５がより好ましい。必要に応じてｐＨ調整剤を添加する。
なお、液体洗浄剤（２５℃に調温）のｐＨは、ｐＨメーター（東亜ディーケーケー株式会社製、「ＨＭ−３０Ｇ」）等により測定される値を示す。
【００２９】
≪他の界面活性剤≫
（Ａ）、（Ｂ）成分以外の他の界面活性剤としては、ノニオン界面活性剤、両性界面活性剤が挙げられる。
［両性界面活性剤］
両性界面活性剤の例としては、アルキルベタイン型、アルキルアミドベタイン型、イミダゾリン型、アルキルアミノスルホン酸型、アルキルアミノカルボン酸型、アルキルアミドカルボン酸型、アミドアミノ酸型又はリン酸型等の両性界面活性剤が挙げられる。
【００３０】
［ノニオン界面活性剤］
洗浄力及び液安定性がより向上する点からは、液体洗浄剤がノニオン界面活性剤を含有することが好ましい。
ノニオン界面活性剤における疎水性部分（長鎖炭化水素基）の炭素数は、ノニオン界面活性剤の配合効果が発揮されやすいことから、好ましくは８〜２２であり、より好ましくは１０〜１８であり、さらに好ましくは１０〜１６であり、特に好ましくは１２〜１４である。
ノニオン界面活性剤としては、例えば高級アルコール、アルキルフェノール、高級脂肪酸、高級脂肪酸アルキルエステル又は高級アミン等に、アルキレンオキシドを付加したポリオキシアルキレン型ノニオン界面活性剤；ポリオキシエチレンポリオキシプロピレンブロックコポリマー；脂肪酸アルカノールアミン；脂肪酸アルカノールアミド；多価アルコール脂肪酸エステル又はそのアルキレンオキシド付加体；硬化ヒマシ油のアルキレンオキシド付加体；糖脂肪酸エステル；Ｎ−アルキルポリヒドロキシ脂肪酸アミド；アルキルグリコシド等が挙げられる。
ノニオン界面活性剤は１種が単独で用いられてもよく、２種以上が併用されてもよい。上記の中でも、ポリオキシアルキレン型ノニオン界面活性剤が好ましく、高級アルコールにアルキレンオキシドを付加したポリオキシアルキレン型ノニオン界面活性剤がより好ましい。
ノニオン界面活性剤を配合する場合の含有量は、液体洗浄剤に対して、０質量％超１５質量％以下が好ましく、０．５〜１２質量％がより好ましく、１〜１０質量％がさらに好ましい。ノニオン界面活性剤の含有量が、前記範囲の下限値以上であると洗浄力及び液安定性の向上効果に優れ、上限値以下であると固体脂洗浄力及び液安定性がより向上する。
【００３１】
液体洗浄剤に対して、界面活性剤の総含有量が５〜２０質量％であることが好ましく、５〜１８質量％がより好ましく、６〜１５質量％がさらに好ましい。
界面活性剤の総含有量に対して、（Ａ）成分と（Ｂ）成分の合計量が１０〜１００質量％であることが好ましく、２０〜９０質量％がより好ましく、２５〜８０質量％がさらに好ましい。
【００３２】
≪他の溶剤≫
他の溶剤の例としては、炭素数２〜４の１価アルコール、炭素数２〜４の多価アルコールが挙げられる。炭素数２〜４の１価アルコールとしては、例えば、エタノール、１−プロパノール、２−プロパノール、１−ブタノール等が挙げられる。炭素数２〜４の多価アルコールとしては、例えば、エチレングリコール、プロピレングリコール、ブチレングリコール、グリセリン等が挙げられる。他の溶剤は１種を単独で用いてもよく、２種以上を併用してもよい。
他の溶剤を配合する場合の含有量は、液体洗浄剤に対して、０質量％超〜１５質量％以下が好ましく、０．１〜１０質量％がより好ましく、０．５〜７質量％がさらに好ましい。他の溶剤の含有量が、前記範囲の下限値以上であると液体洗浄剤の安定性向上効果に優れ、上限値以下であると臭気が良好に抑えられ、液体洗浄剤の香りに優れる。
【００３３】
≪香料≫
香料としては、香料原料単体、又は、香料原料と香料用溶剤と香料安定化剤等とからなる香料組成物を含むものであり、衣料用などの液体洗浄剤、液体漂白洗浄剤、液体漂白剤等に通常用いられる香料を配合することができる。液体洗剤組成物中、香料の含有量は、液体洗剤組成物の総質量に対して、０．０１〜１．０質量％であることが好ましい。
【００３４】
≪衣料用液体洗浄剤組成物の製造方法≫
本発明の液体洗浄剤の製造方法は特に制限されず、従来公知の製造方法によって製造される。
例えば、（Ａ）成分と（Ｂ）成分と、（Ｃ）成分と、必要に応じて配合される任意成分とを、溶媒（例えばイオン交換水等の水）に混合して溶解し、所定のｐＨになるように調整することにより、製造できる。
【００３５】
≪衣料用液体洗浄剤組成物の使用方法≫
液体洗浄剤の使用方法は、例えば、液体洗浄剤を洗濯時に被洗物と一緒に水に投入する方法、液体洗浄剤を予め水に溶解して調製される液体洗浄剤水溶液に被洗物を浸漬する方法等が挙げられる。また液体洗浄剤を被洗物に直接塗布して一定時間放置し、その後、通常の洗濯を行ってもよい（塗布洗浄）。
被洗物の例としては、例えば、衣類、布巾、タオル類、シーツ等の繊維製品が挙げられる。
液体洗浄剤を水に溶解して使用する場合、例えば、５〜５０００倍（体積基準）に希釈することが好ましい。
【００３６】
本発明の液体洗浄剤は、（Ａ）成分、（Ｂ）成分及び（Ｃ）成分を含み、（Ａ）成分が直鎖アルキルベンゼンスルホン酸又はその塩、及びアルキルエーテル硫酸エステル塩からなる群から選ばれる１種以上を含み、（Ｂ）成分が一般式（３）で表される化合物及び一般式（４）で表される化合物からなる群から選ばれる１種以上を含み、（Ｃ）成分が、ジエチレングリコールモノブチルエーテル及びポリアルキレングリコールモノブチルエーテル（ＥＯの平均繰り返し数ｍ＝１，ＰＯの平均繰り返し数ｎ＝１〜２）からなる群から選ばれる１種以上を含むことが好ましい。
さらに炭素数２〜４の１価アルコール及び炭素数２〜４の多価アルコールからなる群から選ばれる１種以上を含むことが好ましい。
【実施例】
【００３７】
以下に実施例を用いて本発明をさらに詳しく説明するが、本発明はこれら実施例に限定されるものではない。本実施例において「％」は特に断りがない限り「質量％」を示す。
本実施例において使用した原料は下記の通りである。
【００３８】
＜（Ａ）成分：アニオン界面活性剤＞
Ａ−１：直鎖アルキル（炭素数１０〜１４）ベンゼンスルホン酸ナトリウム、ライオン株式会社製、商品名「ライポンＬＳ２５０」。
Ａ−２：ポリオキシエチレンアルキルエーテル硫酸ナトリウム（炭素数１２〜１４の合成アルコールのエチレンオキシド付加体（平均付加モル数１）の硫酸化物、ライオン株式会社製）
＜（Ｂ）成分：半極性界面活性剤＞
Ｂ−１：ラウリン酸アミドプロピルジメチルアミンオキシド、クラリアント社製、商品名「ＧＥＮＡＭＩＮＯＸ  ＡＰ」；一般式（４）におけるＲ８＝炭素数１１の直鎖状アルキル基、Ｒ９＝メチル基、Ｒ１０＝メチル基、ｑ＝３。
Ｂ−２：ｎ−ドデシルジメチルアミンオキシド、ライオン・アクゾ株式会社製、商品名「アロモックスＤＭ１２Ｄ−Ｗ」；一般式（３）におけるＲ５＝炭素数１２の直鎖状アルキル基、Ｒ６＝メチル基、Ｒ７＝メチル基。
＜（Ｂ’）成分：（Ｂ）成分の比較成分＞
Ｂ’−１：ラウリルジメチルアミノ酢酸ベタイン、第一工業製薬株式会社製、商品名「アミーゲンＳ」。両性界面活性剤。
【００３９】
＜（Ｃ）成分＞
Ｃ−１：ジエチレングリコールモノブチルエーテル（別名ブチルカルビトール）、日本乳化剤株式会社製。
Ｃ−２：ポリアルキレングリコールモノブチルエーテル（炭素数４のアルコールに、平均１モルのエチレンオキシドと平均１．９モルのプロピレンオキシドが付加されたもの、ライオンケミカル株式会社製。）
＜（Ｃ’）成分：（Ｃ）成分の比較成分＞
ＰＧ：１，２−プロパンジオール（ダウ・ケミカル社製）。
ＰＥＧ：ポリエチレングリコール（重量平均分子量約１０００、６０％水溶液）、ライオン化学製。
＜任意成分＞
ＡＥ：ノニオン界面活性剤、炭素数１２のアルコール（Ｃ１２ＯＨ）と炭素数１４のアルコール（Ｃ１４ＯＨ）との混合物（質量比Ｃ１２ＯＨ／Ｃ１４ＯＨ＝７５／２５）に、平均６モルのエチレンオキシドが付加されたもの、ライオン株式会社製、商品名「レオックスＣＬ−６０」。
ＥｔＯＨ：エタノール、日本アルコール販売株式会社製、商品名「特定アルコール９５度合成」。
香料：特開２００２−１４６３９９号公報の表１１〜１８に記載の香料組成物Ａ。
ｐＨ調整剤：硫酸（東邦亜鉛株式会社製）、水酸化ナトリウム（鶴見曹達株式会社製）。
＜溶媒＞
水：精製水。
【００４０】
［衣料用液体洗浄剤組成物の製造］
表１〜２に、各例の液体洗浄剤の組成（配合成分、含有量（単位：質量％））を示す。
表中、空欄の配合成分がある場合、その配合成分は配合されていない。
表中、配合成分の含有量は純分換算量を示す。
ｐＨ調整剤の含有量を示す「適量」とは、液体洗浄剤のｐＨ（２５℃）を、表中のｐＨ値に調整するために添加されたｐＨ調整剤（硫酸又は水酸化ナトリウム）の総添加量を示す。
水の含有量を示す「バランス」は、全配合成分の合計の配合量（質量％）が１００質量％となるように加えられた残部を意味する。
【００４１】
（例１〜２５）
例１〜１８は実施例、例１９〜２５は比較例である。
表１〜２に示す組成に従い、（Ａ）成分と、（Ｂ）成分（又は（Ｂ’）成分）と、（Ｃ）成分（又は（Ｃ’）成分）と、任意成分（ｐＨ調整剤を除く。）とを水に加えて混合し、ここにｐＨ調整剤を添加して、表中に記載した液体洗浄剤のｐＨ値に調整し、各例の液体洗浄剤をそれぞれ製造した。
ただし例１９では（Ｂ）成分及び（Ｂ’）成分のいずれも用いなかった。また例２５では（Ｃ）成分及び（Ｃ’）成分のいずれも用いず、その代わりに任意成分であるエタノールの配合量を増やした。
各例の液体洗浄剤について、固体脂洗浄力及び布への濡れ広がり性を以下の方法でそれぞれ評価した。その評価結果を表１〜２に示す。
【００４２】
［固体脂洗浄力の評価］
（１）油汚れ汚垢布の作製
牛脂をクロロホルムで５倍に希釈し、０．０１質量％のオイルレッドを添加した溶液０．０３０ｍＬを、３ｃｍ×３ｃｍに裁断したポリエステルトロピカル布（谷頭商店）に滴下し、室温にて２〜３時間風乾したものを油汚れ汚垢布とした。
（２）洗浄試験
油汚れ汚垢布５枚のそれぞれに対して、同じ液体洗浄剤を、油汚れが付着している領域全体を覆うように０．１２ｍＬ塗布し、５分間静置した。
次いで、１５℃の水道水９００ｍＬを入れたＴｅｒｇ−Ｏ−Ｔｏｍｅｔｅｒ（ＵＮＩＴＥＤ  ＳＴＡＴＥＳ  ＴＥＳＴＩＮＧ社製）に、油汚れ汚垢布５枚と、市販の洗剤（ライオン株式会社製「トップ  ＮＡＮＯＸ」）０．３ｇを入れ、さらに浴比２０倍となるように清浄メリヤス布を入れて、１２０ｒｐｍで１０分間洗浄した。
次いで、洗浄後の油汚れ汚垢布５枚を取り出し、前記油汚れ汚垢布に対して、２槽式洗濯機（三菱電機株式会社製、ＣＷ−Ｃ３０Ａ１型）で３分間流水すすぎを行い、次いで脱水１分間を行った後、風乾した。
（３）固体脂洗浄力の評価
測色色差計（日本電色社製、商品名ＳＥ２０００） を用い、汚れ付着前の原布（ポリエステルトロピカル布）、及び洗浄試験前後の油汚れ汚垢布についてのＺ値をそれぞれ測定し、下式より洗浄率を算出した。この洗浄率の値が大きいほど、洗浄力が高いことを意味する。
洗浄率（％）＝（洗浄後の油汚れ汚垢布のＺ値−洗浄前の油汚れ汚垢布のＺ値）／（原布のＺ値−洗浄前の油汚れ汚垢布のＺ値）×１００
そして、５枚の油汚れ汚垢布について算出した洗浄率の平均値を指標として、下記の評価基準に従い、固体脂洗浄力の評価を行った。洗浄率の平均値が２０％以上であるとき合格と判定する。
（評価基準）
○：洗浄率の平均値が３０％超。
△：洗浄率の平均値が２０％以上３０％未満。
×：洗浄率の平均値が２０％未満。
【００４３】
［布への濡れ広がり性の評価］
５ｃｍ×５ｃｍに裁断した湿式人工汚垢布（財団法人洗濯科学協会製）の中心に、液体洗浄剤の０．３ｍＬを滴下し、１０分間静置して濡れ広がり直径を測定した。前記直径の測定値を指標として、下記の評価基準に従い、布への濡れ広がり性の評価を行った。濡れ広がり直径が３．５ｃｍ以上であるとき合格と判定する。
（評価基準）
○：濡れ広がり直径が４ｃｍ以上。
△：濡れ広がり直径が３．５ｃｍ以上４ｃｍ未満。
×：濡れ広がり直径が３．５ｃｍ未満。
【００４４】
【表１】
2018002822.tif 000005
【００４５】
【表２】
2018002822.tif 000006
【００４６】
表１、２に示す結果から、本発明を適用した実施例１〜１８の液体洗浄剤は、固体脂に対して高い洗浄力を示し、布への濡れ広がり性も良好であった。
例１９は、（Ｂ）成分及び（Ｂ’）成分のいずれも含有しない比較例であり、固体脂洗浄力が劣る。
例２０は、（Ａ）成分／（Ｂ）成分が２を超える比較例であり、固体脂洗浄力が劣る。
例２１は、（Ａ）成分／（Ｂ）成分が０．５より小さい比較例であり、固体脂洗浄力が劣る。
例２２は、（Ｂ）成分の代わりに（Ｂ’）成分を用いた比較例である。固体脂洗浄力が劣る。
例２３、２４は、（Ｃ）成分の代わりに（Ｃ’）成分を用いた比較例であり、布への濡れ広がり性が劣る。
例２５は、（Ｃ）成分及び（Ｃ’）成分のいずれも含有しない比較例であり、布への濡れ広がり性が劣る。